(57)【特許請求の範囲】
【請求項１】
互いに閉じてコアを保持する第一ケース及び第二ケースと、
該第一ケースと該第二ケースとがそれぞれ接続され、屈曲することにより該第一ケースと該第二ケースとを閉じた状態にするヒンジ部と、を有し、
該第一ケースは該ヒンジ部が接続される第一側縁を備えた第一壁部から構成され、該第一壁部には、該第一側縁に開口し該ヒンジ部との接続箇所を該第一側縁の延出方向において挟むように配置された一対の第一スロット部を有すると共に該一対の第一スロット部の間に規定されて該ヒンジ部と接続される第一接続部を有し、
該第二ケースは該ヒンジ部が接続される第二側縁を備えた第二壁部から構成され、該第二壁部には、該第二側縁に開口し該ヒンジ部との接続箇所を該第二側縁の延出方向において挟むように配置された一対の第二スロット部を有すると共に該一対の第二スロット部の間に規定されて該ヒンジ部と接続される第二接続部を有し、
該第一接続部及び該第二接続部は、該第一ケースと該第二ケースとを閉じた状態にする際に湾曲し、且つ該第１ケースと該第２ケースとが閉じた状態において湾曲していることを特徴とするノイズ吸収装置用ケース。
【請求項２】
該第一接続部及び該第二接続部の肉厚は、該第一壁部及び該第二壁部の平均的な肉厚より薄肉に構成されていることを特徴とする請求項１に記載のノイズ吸収装置用ケース。
【請求項３】
該ヒンジ部は、該第一側縁及び該第二側縁が延出される方向の一端及び他端に一対設けられ、各々の該ヒンジ部に対応した該第一接続部及び該一対の第一スロット部と該第二接続部及び該一対の第二スロット部とが該第一壁部と該第二壁部とにそれぞれ備えられていることを特徴とする請求項１又は２に記載のノイズ吸収装置用ケース。
【請求項４】
該ヒンジ部は、該第一側縁及び該第二側縁の延出方向と直交する断面において、該第一ケースと該第二ケースとを組み合わせた状態における該第一ケースと該第二ケースとの輪郭内に位置することを特徴とする請求項１から請求項３のいずれか一に記載のノイズ吸収装置用ケース。
【請求項５】
請求項１から請求項４のいずれか一に記載のノイズ吸収装置用ケースと該ノイズ吸収装置用ケースに保持されるコアをと備えたことを特徴とするノイズ吸収装置。
【発明の詳細な説明】
【技術分野】
【０００１】
本発明はノイズ吸収装置用ケース及びノイズ吸収装置に関する。
【背景技術】
【０００２】
従来から、コアを収容する第一ケース及び第二ケースをヒンジ部で接続し一体的に構成したノイズ吸収装置用ケース及びこのケースを用いたノイズ吸収装置が公知になっている。（例えば、特許文献１参照）。このケースではヒンジ部分を約１８０°折り曲げるように屈曲させて第一ケースと第二ケースとを重ね合わせ、内部にコアを収容する空間を形成している。
【先行技術文献】
【特許文献】
【０００３】
【特許文献１】特開２００９−１２３７６７号公報
【発明の概要】
【発明が解決しようとする課題】
【０００４】
このノイズ吸収装置用ケースは、汎用樹脂、例えばナイロン等を基材として構成されている。この樹脂においては、湿度、気温の低下に伴って脆性が高くなり、故に屈曲するヒンジ部分から破損するおそれがあった。よって本発明は、ヒンジ部の破損を低減したノイズ吸収装置用ケース及びノイズ吸収装置を提供することを目的とする。
【課題を解決するための手段】
【０００５】
上記課題を解決するために本発明は、互いに閉じてコアを保持する第一ケース及び第二ケースと、該第一ケースと該第二ケースとがそれぞれ接続され、屈曲することにより該第一ケースと該第二ケースとを閉じた状態にするヒンジ部と、を有し、該第一ケースは該ヒンジ部が接続される第一側縁を備えた第一壁部から構成され、該第一壁部には、該第一側縁に開口し該ヒンジ部との接続箇所を該第一側縁の延出方向において挟むように配置された一対の第一スロット部を有すると共に該一対の第一スロット部の間に規定されて該ヒンジ部と接続される第一接続部を有し、該第二ケースは該ヒンジ部が接続される第二側縁を備えた第二壁部から構成され、該第二壁部には、該第二側縁に開口し該ヒンジ部との接続箇所を該第二側縁の延出方向において挟むように配置された一対の第二スロット部を有すると共に該一対の第二スロット部の間に規定されて該ヒンジ部と接続される第二接続部を有し、該第一接続部及び該第二接続部は、該第一ケースと該第二ケースとを閉じた状態にする際に湾曲し、且つ該第１ケースと該第２ケースとが閉じた状態において湾曲していることを特徴とするノイズ吸収装置用ケースを提供している。
【０００６】
この様な構成によると、第一ケースと第二ケースとを閉じる時に、ヒンジ部だけでなく、第一接続部及び第二接続部も屈曲する。よってヒンジ部のみに曲げの応力が集中せず、ヒンジ部の応力負担が低減され、ヒンジ部の曲げ破壊を抑制することができる。
【０００７】
上記構成のノイズ吸収装置用ケース及びノイズ吸収装置用ケースを用いたノイズ吸収装置において、第一接続部及び第二接続部の肉厚は、第一壁部及び第二壁部の平均的な肉厚より薄肉に構成されていることが好ましい。
【０００８】
この様な構成によると、第一接続部及び第二接続部が曲がりやすくなり、ヒンジ部への応力集中を更に抑制することができる。
【００１０】
またヒンジ部は、第一ケース及び第二ケースにおいて第一側縁及び第二側縁が延出される方向の一端及び他端に一対設けられ、各々のヒンジ部に対応した第一接続部及び一対の第一スロット部と第二接続部及び一対の第二スロット部とが第一壁部と第二壁部とにそれぞれ備えられていることが好ましい。
【００１１】
この様な構成によるとヒンジ部が、第一側縁及び第二側縁のそれぞれの端部に設けられるため剛性を増し、例えば第一ケースと第二ケースとの間の捻り等に対して強くなる。
【００１２】
また第一側縁及び第二側縁の延出方向と直交する断面においてヒンジ部は、第一ケースと第二ケースとを組み合わせた状態における第一ケースと第二ケースとの輪郭内に位置することが好ましい。
【００１３】
この様な構成によると、第一ケースと第二ケースとを閉じた状態で、第一ケースと第二ケースとの輪郭からヒンジ部が突出することが抑制される。
【発明の効果】
【００１４】
本発明のノイズ吸収装置用ケース及びノイズ吸収装置用ケースを用いたノイズ吸収装置によれば、ヒンジ部の破損を抑制することができる。
【図面の簡単な説明】
【００１５】
【図１】本発明の実施の形態に係るノイズ吸収装置の開放状態での斜視図。
【図２】本発明の実施の形態に係るノイズ吸収装置の閉止状態での斜視図。
【図３】本発明の実施の形態に係るノイズ吸収装置用ケースの平面図。
【図４】本発明の実施の形態に係るノイズ吸収装置用ケースの第一ケース側からの斜視図。
【図５】本発明の実施の形態に係るノイズ吸収装置用ケースの第二ケース側からの斜視図。
【図６】本発明の実施の形態に係るノイズ吸収装置のヒンジ部側から見た閉止状態での斜視図。
【図７】図３のVII−VII線に沿ったノイズ吸収装置の開放状態でのヒンジ部分に係る部分断面図。
【図８】図３のVII−VII線に沿ったノイズ吸収装置の閉止状態でのヒンジ部分に係る部分断面図。
【発明を実施するための形態】
【００１６】
以下、本発明の実施の形態に係るノイズ吸収装置用ケース及びノイズ吸収装置を図１から図８に基づき説明する。図１に示されるノイズ吸収装置１は、コア１０と、コア１０を保持するケース２とから構成されており、図示せぬケーブルに装着可能に構成されている。
【００１７】
コア１０は、フェライト等の磁性体を基材とし、円筒形状をその軸を含む平面で半割にして構成される第一コア１１と第二コア１２とから構成されており、円筒形状の軸方向に貫通して図示せぬケーブルを挿通可能な貫通孔１０ａ（図２）が形成されている。第一コア１１と第二コア１２とは同一形状であるため、主に第一コア１１について説明する。第一コア１１は、コア１０が半割りされて形成される一対の分割面１１Ａ、１１Ｂと、一対の分割面１１Ａ、１１Ｂの間に位置し、第二コア１２と協働して貫通孔１０ａを画成する溝１１ｃを有している。また分割面１１Ａ、１１Ｂの一端及び他端には、それぞれ、コア１０の直径方向かつ貫通孔１０ａを横切るように、係止溝１１ａ、１１ａと、係止溝１１ｂ、１１ｂとが形成されている。第二コア１２にも第一コア１１と同様に、分割面１２Ａ、１２Ｂと、溝１２ｃとを有し、分割面１２Ａ、１２Ｂには、係止溝１２ａ、１２ａと、係止溝１２ｂ、１２ｂが形成されている。
【００１８】
ケース２は、塩化ビニール等の樹脂素材から構成されており、図２に示されるようにコア１０を収容し閉じた状態（以下閉止状態）で円筒状を成し、図３に示されるようにコア１０（図１）が収容される前の状態（以下開放状態）で円筒形状をその軸方向に沿って半割りした第一ケース３及び第二ケース４と一対のヒンジ部５、５とから構成されている。尚、開放状態での第一ケース３と第二ケース４とは、説明の便宜上、後述の第一接合面３Ａと第二接合面４Ａとが同一平面に位置するように、配置される。
【００１９】
第一ケース３は、図３及び図４に示されるように、第一壁部３１と、一端側第一側面３２及び他端側第一側面３３とを含んで構成され、第一壁部３１と一端側第一側面３２及び他端側第一側面３３とから第一コア１１を収容可能な第一空間３ａが画成されている。
【００２０】
第一壁部３１は、軸方向と直交する断面が半円形を成して、ケース２の外周部分を構成している。第一壁部３１の周方向の一端及び他端には、軸方向と平行に延出されるヒンジ部側第一側縁３１Ａとフック部側第一側縁３１Ｂとが規定されている。第一壁部３１の周方向の中央部分には、図３に示されるように第一空間３ａ内に突出する一対のコア付勢片３４Ａ、３４Ｂが軸方向に並んで一対設けられている。
【００２１】
フック部側第一側縁３１Ｂには、フック部側第一側縁３１Ｂから半円弧の接線方向に突出する一対のフック部３５Ａ、３５Ｂが設けられている。図４に示されるように、フック部３５Ａ、３５Ｂにはそれぞれ掛止孔３５ａ、３５ｂが形成されている。
【００２２】
ヒンジ部側第一側縁３１Ａには、その延出方向両端近傍にそれぞれ上述のヒンジ部５、５が接続されている。またヒンジ部側第一側縁３１Ａ側の第一壁部３１には、一のヒンジ部５の上記延出方向で一方側と他方側との基部位置となるヒンジ部側第一側縁３１Ａに開口し、第一壁部３１と一のヒンジ部５との接続箇所を上記延出方向において挟むように配置された一対の第一スロット部３１ａ、３１ｂが形成されている。また他のヒンジ部５の側にも同様の第一スロット部３１ｃ、３１ｄが形成されている。第一スロット部３１ａ〜３１ｄはそれぞれ軸方向と直交する方向に延びて形成されている。特に第一スロット部３１ａ、３１ｄにおいては、図３に示されるように、第一ケース３の両端部から、それぞれ一端側第一側面３２の厚さ分及び他端側第一側面３３の厚さ分だけ内側となる位置に開口が位置するように形成されている。即ち第一スロット部３１ａ、３１ｄは、一端側第一側面３２、他端側第一側面３３の壁面に沿って形成されている。
【００２３】
また第一壁部３１において一対の第一スロット部３１ａ、３１ｂの間には、一のヒンジ部５と接続される第一接続部３６Ａを有し、同様に一対の第一スロット部３１ｃ、３１ｄの間には、他のヒンジ部５と接続される第一接続部３６Ｂを有している。第一接続部３６Ａは、図７に示されるように、基端部分から先端部分（ヒンジ部側第一側縁３１Ａ部分）に向かうに従って徐々に薄肉になるように構成されており、第一壁部３１を含む第一ケース３の肉厚より薄くなるように構成されている。また上述のように一対の第一スロット部３１ａ、３１ｂが一のヒンジ部５の記延出方向で一方側と他方側との基部位置に形成されているため、図３に示されるように、一のヒンジ部５の軸方向における距離と、第一接続部３６Ａの軸方向における距離とが等しく構成されている。同様に他のヒンジ部５の軸方向における距離と、第一接続部３６Ｂの軸方向における距離とも等しくなるように構成されている。
【００２４】
一端側第一側面３２は、第一壁部３１の軸方向一端側を閉止するように半円形状に構成されており、ヒンジ部側第一側縁３１Ａ及びフック部側第一側縁３１Ｂと同一平面上に位置する一端側第一側縁３２Ａを有すると共に、一端側第一側縁３２Ａに図示せぬケーブルが挿通するケーブル挿通凹部３２ａが形成されている。また一端側第一側面３２の第一空間３ａを画成する面には、図３に示されるように、一端側第一側縁３２Ａ位置かつヒンジ部側第一側縁３１Ａ近傍位置と一端側第一側縁３２Ａ位置かつフック部側第一側縁３１Ｂ近傍位置とから第一空間３ａ内に向けて突出する一対の係止片３７Ａ、３７Ｂが設けられている。
【００２５】
他端側第一側面３３は、一端側第一側面３２と同様の構成を採っており、他端側第一側縁３３Ａを有する共にケーブル挿通孔３３ａが形成されている。また他端側第一側面３３の第一空間３ａを画成する面には、一端側第一側面３２と同様に、図３に示されるように第一空間３ａ内に向けて突出する一対の係止片３８Ａ、３８Ｂが設けられている。尚、ヒンジ部側第一側縁３１Ａと、フック部側第一側縁３１Ｂと、一端側第一側縁３２Ａと、他端側第一側縁３３Ａとから第二ケース４と接合される面である第一接合面３Ａが規定される。
【００２６】
この第一ケース３に第一コア１１を挿入する際には、第一コア１１の円弧形状部分を一対のコア付勢片３４Ａ、３４Ｂに当接させると共に、第一コア１１の軸方向一端側に位置する係止溝１１ａ、１１ｂを一対の係止片３７Ａ、３７Ｂに掛け、係止溝１１ｂ、１１ｂを一対の係止片３８Ａ、３８Ｂに掛け、第一空間３ａ内に第一コア１１を固定する。
【００２７】
第二ケース４は、図３及び図５に示されるように、第二壁部４１と、一端側第二側面４２及び他端側第二側面４３とを含んで構成され、第二壁部４１と一端側第二側面４２及び他端側第二側面４３とから第二コア１２を収容可能な第二空間４ａが画成されており、第一ケース３と略同一の形状を採っている。よって第二ケース４については、主に第一ケース３と相違点について説明し、詳細な説明は省略する。
【００２８】
第二壁部４１は、軸方向と直交する断面が半円弧を成して、第一壁部３１と共にケース２の外周部分を構成している。第二壁部４１の周方向の一端及び他端には、軸方向と平行に延出されるヒンジ部側第二側縁４１Ａとフック部側第二側縁４１Ｂとが規定されている。第二壁部４１の周方向の中央部分には、図３に示されるように第二空間４ａ内に突出する一対のコア付勢片４４Ａ、４４Ｂが軸方向に並んで一対設けられている。
【００２９】
第二壁部４１においてフック部側第二側縁４１Ｂ近傍位置には、第二壁部４１の表面から突出する一対の被掛止部４５Ａ、４５Ｂが設けられている。これらの被掛止部４５Ａ、４５Ｂが一対のフック部３５Ａ、３５Ｂの掛止孔３５ａ、３５ｂに挿入されることにより、フック部３５Ａ、３５Ｂが被掛止部４５Ａ、４５Ｂに掛止される。
【００３０】
ヒンジ部側第二側縁４１Ａには、その延出方向両端近傍にそれぞれ上述のヒンジ部５、５が接続されている。またヒンジ部側第二側縁４１Ａ側の第二壁部４１には、第一ケース３と同様に、一のヒンジ部５の側に一対の第二スロット部４１ａ、４１ｂが形成され、他のヒンジ部５の側に一対の第二スロット部４１ｃ、４１ｄが形成されている。
【００３１】
また第二壁部４１において一対の第二スロット部４１ａ、４１ｂの間には、一のヒンジ部５と接続される第二接続部４６Ａを有し、同様に一対の第二スロット部４１ｃ、４１ｄの間には、他のヒンジ部５と接続される第二接続部４６Ｂを有している。
【００３２】
一端側第二側面４２は、第二壁部４１の軸方向一端側を閉止するように半円形状に構成されており、一端側第二側縁４２Ａを有すると共に、一端側第二側縁４２Ａに図示せぬケーブルが挿通するケーブル挿通凹部４２ａが形成されている。一端側第二側面４２の第二空間４ａを画成する面には、図３に示されるように一対の係止片４７Ａ、４７Ｂが設けられている。
【００３３】
他端側第二側面４３は、他端側第二側縁４３Ａを有する共にケーブル挿通孔４３ａが形成されている。また他端側第二側面４３の第二空間４ａを画成する面には、一端側第二側面４２と同様に、第二空間４ａ内に向けて突出する一対の係止片４８Ａ、４８Ｂが設けられている。尚、ヒンジ部側第二側縁４１Ａと、フック部側第二側縁４１Ｂと、一端側第二側縁４２Ａと、他端側第二側縁４３Ａとから第一接合面３Ａと接合される第二接合面４Ａが規定される。
【００３４】
この第二ケース４に第二コア１２を挿入する際には、第二コア１２の円弧形状部分を一対のコア付勢片４４Ａ、４４Ｂに当接させると共に、第二コア１２の軸方向一端側に位置する係止溝１２ａ、１２ｂを一対の係止片４７Ａ、４７Ｂに掛け、係止溝１２ｂ、１２ｂを一対の係止片４８Ａ、４８Ｂに掛け、第二空間４ａ内に第二コア１２を固定する。
【００３５】
また第一ケース３及び第二ケース４は、全体的に薄肉になるように構成されている。これにより、第一空間３ａ及び第二空間４ａを大きく採ることができ、より大きなコア１０を保持することができる。
【００３６】
一対のヒンジ部５、５は、図６に示されるように、それぞれ同一形状を成しており、図７に示されるように、開放状態において、第一接合面３Ａ及び第二接合面４Ａと平行な平板状に構成されている。またヒンジ部５は、第一接合面３Ａ及び第二接合面４Ａ側の面における第一接続部３６Ａから第二接続部４６Ａまでの距離Ｌ１が、反第一接合面３Ａ及び反第二接合面４Ａ側の面における第一接続部３６Ａから第二接続部４６Ａまでの距離Ｌ２より短くなるように構成されている。またヒンジ部５と第一接続部３６Ａ及び第二接続部４６Ａとは、開放状態において、ヒンジ部５を頂上とし、第一接続部３６Ａ及び第二接続部４６Ａを裾野とする山型形状を成している。
【００３７】
上記構成のノイズ吸収装置１を図２、図６に示されるように閉止状態とした場合、図１の分割面１１Ａ、１１Ｂと分割面１２Ａ、１２Ｂとを当接させ、かつ図３の第一接合面３Ａと第二接合面４Ａとを当接させ、フック部３５Ａ、３５Ｂを被掛止部４５Ａ、４５Ｂに掛止して第一コア１１と第二コア１２とを一体化、かつ第一ケース３と第二ケース４とを一体化させて、コア１０及びケース２を構成する。
【００３８】
ケース２が構成された状態においては、ヒンジ部５を含む山型形状部分は、図６及び図８に示されるように、ヒンジ部５が湾曲すると共に第一接続部３６Ａ及び第二接続部４６Ａが撓み、上述の山型形状の裾野が広がるように山型形状全体が湾曲する構成を採る。よって山型形状部分全体で、ケース２を閉じた際の曲げ応力を負担するので、ヒンジ部５のみに曲げの応力が集中することが抑制される。これによりヒンジ部５の応力負担が低減され、ケース２を閉じた際に発生するヒンジ部５の曲げ破壊を抑制することができる。
【００３９】
また第一接続部３６Ａ及び第二接続部４６Ａは、上述のように薄肉に構成されているため、撓みやすく構成されており、これによりヒンジ部５への応力負担を更に低減することができる。
【００４０】
また一対のヒンジ部５、５はケース２の軸方向において両端部分に配置されているので、第一ケース３に対して第二ケース４が捻られたとしても、一対のヒンジ部５、５が破損することは抑制される。
【００４１】
また図８に示されるように、閉止状態において、ヒンジ部５は、ケース２の外周部分の輪郭Ｐ内に位置している。よってヒンジ部５がケース２の外周部分の輪郭から突出することが抑制される。
【００４２】
本実施の形態に係るノイズ吸収装置用ケース及びノイズ吸収装置は上述した実施の形態に限定されず、特許請求の範囲に記載された範囲で種々の改良や変形が可能である。例えば本実施の形態では、ケーブル挿通方向と平行になるケースの側縁にヒンジ部を設けたが、これに限らずケーブル挿通方向と略直交する側縁にヒンジ部を設ける構造を採ってもよい。またヒンジ部は必ずしも一対必要ではなく、ノイズ吸収装置用ケースの大きさに応じて、一個のみ設けてもよいし、三個以上設けてもよい。
【符号の説明】
【００４３】
１・・ノイズ吸収装置  ２・・ケース  ３・・第一ケース  ３Ａ・・第一接合面
３ａ・・第一空間  ４・・第二ケース  ４Ａ・・第二接合面  ４ａ・・第二空間
５・・ヒンジ部  １０・・コア  １０ａ・・貫通孔  １１・・第一コア
１１Ａ、１１Ｂ・・分割面  １１ａ、１１ｂ・・係止溝  １１ｃ・・溝
１２・・第二コア  １２Ａ、１２Ｂ・・分割面  １２ａ、１２ｂ・・係止溝
１２ｃ・・溝  ３１・・第一壁部  ３１Ａ・・ヒンジ部側第一側縁
３１Ｂ・・フック部側第一側縁  ３１ａ〜３１ｄ・・第一スロット部
３２・・一端側第一側面  ３２Ａ・・一端側第一側縁  ３２ａ・・ケーブル挿通凹部
３３・・他端側第一側面  ３３Ａ・・他端側第一側縁３３ａ・・ケーブル挿通孔
３４Ａ、３４Ｂ・・コア付勢片  ３５Ａ、３５Ｂ・・フック部
３５ａ、３５ｂ・・掛止孔  ３６Ａ、３６Ｂ・・第一接続部３７Ａ、３８Ａ・・係止片
４１・・第二壁部  ４１Ａ・・ヒンジ部側第二側縁  ４１Ｂ・・フック部側第二側縁
４１ａ〜４１ｄ・・第二スロット部  ４２・・一端側第二側面
４２Ａ・・一端側第二側縁  ４２ａ・・ケーブル挿通凹部４３・・他端側第二側面
４３Ａ・・他端側第二側縁  ４３ａ・・ケーブル挿通孔  ４４Ａ、４４Ｂ・・コア付勢片
４５Ａ、４５Ｂ・・被掛止部  ４６Ａ、４６Ｂ・・第二接続部
４７Ａ、４８Ａ・・係止片
【図１】
0005594511.tif 000002
【図２】
0005594511.tif 000003
【図３】
0005594511.tif 000004
【図４】
0005594511.tif 000005
【図５】
0005594511.tif 000006
【図６】
0005594511.tif 000007
【図７】
0005594511.tif 000008
【図８】
0005594511.tif 000009